(57)【要約】      （修正有）【課題】消毒及び浄化機を提供する。【解決手段】浄化スロット部及びその付属部品を有している容器を備えている野菜及び果物用消毒機である。該消毒機は、浄化スロット部５内に配設されており野菜及び果物を置くための籠１４と、洗浄するために該籠の中心に位置する円錐体とを備えている。籠の底部には、摩擦の小さい回転軸スロット部と、還流ブレードと、バランスサークルとが備えられている。還流装置を始動させると、籠は水の流れとともに回転する。浄化スロット部の底に配設されている超音波器具２１が発生させた周波数を有する振動によって、野菜及び果物に付着した汚物及び毒物は揺すられて、浄化スロット部内に入る。還流設備を始動させて、オゾン発生器９によって発生したオゾンは、消毒を行い野菜及び果物を浄化して新鮮な状態を維持するために、還流浄水に溶け多くの泡を得る。浄化スロット部の底部には、自動排水装置が配設されている。還流装置は、最初の排水後も継続して回転し、還流ブレードを動作させて野菜及び果物を乾燥させる。その後、第２の排水が自動的に開始する。該消毒機によって、人の手によって行う洗浄の欠点が解消される。該消毒機は、実用的且つ経済的な製品である。【選択図】図１
0003108333.tif 000002
【実用新案登録請求の範囲】
【請求項１】
野菜及び果物用消毒機であって、
外側シェルと、
浄化スロット部を有する外側シェルのカバーと、
前記野菜及び果物が配置される籠と、
低摩擦バランス装置と、
前記籠の下方に配設されている回転ブレードと、
から成り、
前記籠は２つの半球体を有しており、前記スロット部は前記籠の下方に配設されていることを特徴とする消毒機。
【請求項２】
前記消毒機は、更に、オゾン発生器と、ダクトを介して前記オゾン発生器に連結している泡発生機と、から成り、浄化及び消毒を行い新鮮な状態を維持するために、多くの泡が発生して水に溶けることを特徴とする請求項１に記載の消毒機。
【請求項３】
前記消毒機は、更に、前記籠を回転させて遠心力で前記野菜及び果物を乾燥させる還流装置から成る請求項１に記載の消毒機。
【請求項４】
前記消毒機は、更に、前記浄化スロット部の底に配設されており高速で浄化を行う超音波器具から成ることを特徴とする請求項１及び２のいずれかに記載の消毒機。
【請求項５】
前記消毒機は、更に、前記浄化スロット部の縁部及び中央部にそれぞれ配設されている自動排水制御器と、濾過ウェブと、前記スロット部の底に配設され、且つ、前記濾過ウェブの下方に配設されており廃水の排出を制御する排水弁と、から成ることを特徴とする請求項１に記載の消毒機。
【請求項６】
前記消毒機は、更に、前記籠の中心に配設されている円錐体と、還流装置と、から成り、前記還流装置が始動すると、前記野菜及び果物は前記円錐体とともに回転し洗浄が容易になることを特徴とする請求項１に記載の消毒機。
【請求項７】
前記消毒機は特定の消毒装置から成り、前記オゾン発生器と、前記泡発生機と、前記超音波スロット部とは組み合わさっていることを特徴とする請求項１、２及び４のいずれかに記載の消毒機。
【請求項８】
前記消毒機は、更に、前記野菜及び果物を流出させずに水中に保持できるように窪んでおり丸括弧形状を有している籠カバーから成ることを特徴とする請求項１に記載の消毒機。
【考案の詳細な説明】
【技術分野】
【０００１】
本考案は、特に野菜及び果物を消毒及び浄化する機械に関する。
【背景技術】
【０００２】
野菜及び果物は、常に、人の手によって洗われる。しかし、野菜の葉に付いた汚物及び不純物を洗い去ることは難しい。また、野菜及び果物の表面に付着した毒物を消し去ることは不可能である。その結果、有毒な野菜及び果物を長期にわたって食することによって、急性或いは慢性的な中毒症状に苦しむ者もおり、健康へ深刻な被害をもたらすことになる。また、冷水或いは寒い地域で洗浄を行うことは効率が悪い。従って、汚物を洗い去り、消毒して、野菜及び果物を新鮮な状態に保つ科学的な浄化機を研究することは有効である。この浄化機は人体に損傷を与えることはない。
【考案の開示】
【考案が解決しようとする課題】
【０００３】
本考案の課題は消毒及び浄化機を提供することを目的とする。該消毒及び浄化機は、汚物を排出する超音波装置と、消毒用のオゾン発生器と、で構成されており、泡で酸素の濃度を高めて新鮮な状態を維持し、回転水流の力を利用した乾燥技術を有している。従って、洗浄機を使用した場合の不具合及び技術的に不十分な箇所が原因で発生する問題を解決することである。
【課題を解決するための手段】
【０００４】
上記課題を解決するために、本考案の機械の構造の概念は、野菜及び果物の消毒及び浄化であり、上下２つの外側シェルを備えていることである。外側シェルの内部にはステンレス綱スロット部が形成されている。縁部に還流ブレードを備えている籠がスロット部内に配設されている。籠の上部には窪んだ丸括弧形状のカバーが配設され、籠の中央には円錐体が配設されている。バランスローカリゼーション(balance localization)軸は、円錐体の上部に位置しており、上部シェルと連結している。また、該軸は、スロット部を有しており、上部でのバランスローカリゼーションを達成し且つ牽引摩擦(fricative traction)を低減する。籠の下部には、スロット部が形成され下部でのバランスローカリゼーションを達成する。籠の下方には濾過ウェブがあり、該濾過ウェブはステンレス綱の底に配設されている。濾過ウェブの周囲にはバランスローカリゼーションサークル(balance localization circle)が配設されている。上部シェルの縁部には水位を制御する排水孔が形成されている。シェルの下方には孔及び排出口が形成されている。ステンレス綱のスロット部内には汚物を排出する孔が形成されており、平らな底には超音波装置が配設されている。下部シェルは、完全に隔絶されており、洗浄スロット部を備えており、該下部シェルには関連部品が配置されている。オゾン発生器、還流モータ装置、排水制御器、排水ダクト等は、製造、取り付け、保守、管理に適している。
【考案の効果】
【０００５】
野菜及び果物を配置するために特別に設計された籠の中央には円錐体が配設されており、超音波伝導及び浸水効果の向上に寄与する。物理的理論及び籠の外側に配設されている多数の還流ブレードを最大に利用している。ブレードに水が当たると、籠は、汚物及び不純物を容易に洗い去ることができるように、水流とともに回転する。
【０００６】
還流装置を始動させると、水に溶けたオゾンは、野菜及び果物の表面を消毒して清浄することができる。
【０００７】
オゾン発生器を始動させると、オゾンは、洗浄、消毒及び新鮮な状態の維持に適する泡を発生させることができる。
【０００８】
超音波器具はスロット部の底に配設されている。該超音波器具は、迅速な洗浄を行うために高周波振動を発生させることができる。汚物及び毒物は振動してスロット部内に入る。
【０００９】
水位制御器並びに浄水及び廃水の排出を行う制御器は自動で動作することができる。
【００１０】
本考案の機械の構成部品は、高性能を有し、利便性に優れ、取り付け作業及び保守、管理に適している。
【００１１】
回転力を向上させるために低フラクション理論(low fraction theory)を適用している。従って、籠は野菜及び果物を乾燥させるために遠心力を発生させることができる。
【００１２】
寒い地域或いは冬場においては水が冷たいため、野菜及び果物の水洗いは都合が悪い。しかし、この問題は本考案の新規な機械によって解消される。
【００１３】
籠カバーは、野菜及び果物を流出させることなく、水中で保持できるように窪んだ丸括弧形状をしている。
【００１４】
本考案は、物理科学及び技術を最大に利用している機械製品であり、高性能且つ実用的であり、節電を可能にし、雑音が低い製品である。
【００１５】
本考案の機械製品は、実用性が高く、経済的に優れている。従って、手洗いの不便な点及び従来の技術の不十分な点は完全に解消される。
【考案を実施するための最良の形態】
【００１６】
図１及び図２を参照すると、本考案の機械は、外側シェルの上部１と、外側シェルの下部２と、ステンレス綱スロット部５と、野菜及び果物が置かれる籠１４と、超音波器具２１と、オゾン発生器９と、還流制御器８と、高−低水位センサ及びその関連部品と、を備えている。
【００１７】
本考案の機械の構成の概念は、外側シェルの上部１のスロット内に籠１４が配設されており、ステンレス綱スロット部５内には濾過ウェブ２０が配設されていることである。超音波器具２１及び廃水排出孔２３は外側シェルの下部に配設されている。還流水口６、還流出口７、及び超水流孔３は、廃水排出孔２３の周りに形成されている。
【００１８】
泡発生機１６及びバランスローカリゼーション軸１５は、ステンレス綱スロット部５の底に設けられている。還流制御器８、オゾン発生器９及び排水制御器２４はスロット部５の下方に設けられている。スロット部５の上縁部及び中央には、高水位センサ２５及び低水位センサ２６がそれぞれ設けられている。
【００１９】
バランスローカリゼーション回転軸１２は籠１４の中央に設けられている。該軸１２は、また、スロット部５内に配設されており、籠カバー２９を備えている。
【００２０】
下部バランスローカリゼーションスロット部２７は、円錐体の下方に形成されており、上部バランスローカリゼーションスロット部２８及びスイッチハンドル１１は円錐体の上部に配設されている。
【００２１】
バランスサークル(balance circle)１９は、籠の下方に配設されており、籠の外側には回転ブレード１８が配設されている。外側シェルの下部２には廃水排出孔２３が形成されている。
【００２２】
上カバー１０を開けた状態で、水を加えると、その水は、入水孔４を通ってスロット部に入る。水位が高くなり過ぎると、水は超水流孔３を通って溢れ出る。その後、自動制御盤１３及び超音波器具２１を始動させて浄水を振動させる。これによって、野菜及び果物の葉に付着した汚物及び毒物は揺らされて水に混ざる。同時に、オゾン発生器９によって発生したオゾンは水に溶けて泡発生器１６の入り口を通って、毒物を消し去る。
【００２３】
泡は、所定の浸水時間中は、野菜及び果物を新鮮な状態に保つことができる。還流水口６に進入した水流は、還流制御器８によって押圧され、次いで、還流出口７に接続しているダクトを介してスロット部に流入して、回転ブレード１８及び籠に当たる。
【００２４】
回転水流は、野菜及び果物の表面上の汚物及び不純物を洗い去る。所定の浄化時間が経過すると、排水制御器は、まず最初に、廃水の一部を排出する。残存した水は、還流制御器８を動作させ続ける。従って、籠１４は、乾燥を行うために、遠心力を発生させる。同時に、籠カバー２９は、流れる野菜及び果物を水中で保持する。所定の乾燥時間が経過すると、排水制御器２４はスロット部内の廃水を全て自動的に排出する。一言で言えば、本考案の機械は、実用的且つ経済的であり、野菜及び果物の浄化だけでなく、人間がダイエットをする際の安全性にも革新をもたらす。
【図面の簡単な説明】
【００２５】
【図１】本考案の消毒機の分解斜視図
【図２】消毒機の斜視図
【符号の説明】
【００２６】
１  外側シェルの上部
２  外側シェルの下部
３  超水流孔
４  入水孔
５  ステンレス綱スロット部
６  還流水口
７  還流出口
８  還流制御器
９  オゾン発生器
１０  上カバー
１１  スイッチハンドル
１２  バランスローカリゼーション回転軸
１３  自動制御盤
１４  野菜及び果物が配置される籠
１５  バランスローカリゼーション軸
１６  泡発生機
１７  水流回転ブレード
１８  回転ブレード
１９  バランスサークル
２０  濾過ウェブ
２１  超音波器具
２２  高−低水位制御器
２３  廃水排出孔
２４  排水制御器
２５  高水位センサ
２６  低水位センサ
２７  下部バランスローカリゼーションスロット部
２８  上部バランスローカリゼーションスロット部
２９  籠カバー
【図１】
0003108333.tif 000003
【図２】
0003108333.tif 000004